(57)【要約】【課題】  ヘッドユニットの取付けの作業性を向上させるとともに取付けに要する時間を短縮する。【解決手段】  アッパーケース２にはスリット４が設けられ、スリット４を挟んで本体が部材１０と先端側部材１１とに分割され、両部材１０，１１は連結部１２，１３によって連結されている。連結部１２，１３にはスリット４を開口としたカード摺動溝１５ａ，１５ｂが設けられ、カード摺動溝１５ａ，１５ｂの端部にはカード挿入口１２ａ，カード排出口１３ａが設けられている。アッパーケース２には、ヘッドユニット２０の回動を規制する回動規制用リブ１６がスリット４を挟んで一体に突設されている。ねじ２６によってアッパーケース２に取り付けられたヘッドユニット２０のカード摺動溝１５ｃは、連結部１２，１３のカード摺動溝１５ａ，１５ｂと連通される。【選択図】  図５
2006139457.tif 000002
【特許請求の範囲】
【請求項１】
磁気カードを摺動させるカード摺動溝が形成された筺体と、この筺体に取り付けられ前記カード摺動溝の一部を形成し、このカード摺動溝を摺動させる磁気カードの情報を処理する磁気ヘッドが設けられたヘッドユニットとを備えた磁気ヘッドユニットの取付構造において、
前記筺体に、前記摺動溝を挟んで互いに対向し前記ヘッドユニットを挟持する少なくとも二対の回動規制用リブを一体に設けたことを特徴とする磁気ヘッドユニットの取付構造。
【請求項２】
請求項１記載の磁気ヘッドユニットの取付構造において、
前記筺体を前記カード摺動溝を挟んで２つに分割し、これら２つの分割された筺体間を連結し前記カード摺動溝の一部を形成する断面Ｕ字状の一対の連結部を前記カード摺動溝の両端部において前記筺体に一体形成し、これら連結部間に前記ヘッドユニットを設けたことを特徴とする磁気ヘッドユニットの取付構造。
【発明の詳細な説明】
【技術分野】
【０００１】
本発明は、磁気カードを把持しカードの一部を筺体のカード摺動溝内を摺動させることにより、磁気ヘッドによって磁気カードの情報を処理する磁気カードリーダに関し、特に磁気ヘッドが設けられた磁気ヘッドユニットの取付構造に関するものである。
【背景技術】
【０００２】
従来の磁気ヘッドユニットの取付構造は、一端側にカードの一部を挿入するカード挿入口が設けられ他端側にカード排出口が設けられた断面がＵ字状のカード通路と、カード通路と連通するカード摺動溝が形成され磁気ヘッドが設けられたヘッドユニットとを備え、カード挿入口から挿入されたカードをカート通路内を摺動させ、ヘッドユニットのカード摺動溝内を通過させるときに磁気ヘッドによりカードの情報を処理し、カードをカード排出口から排出させるものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開平６−２２３２３５号公報（段落「００１１」、図２ないし図４）
【発明の開示】
【発明が解決しようとする課題】
【０００３】
上述した従来の磁気ヘッドユニットの取付構造においては、ヘッドユニットを筺体の支持板にねじ止めするだけの構造であるため、ヘッドユニットをねじ止めする際に、ヘッドユニットがわずかに回動してしまうことがある。ヘッドユニットが回動した状態で取り付けられると、ヘッドユニットのカード摺動溝と筺体のカード通路との位置がずれるため、磁気カードの円滑な摺動ができないばかりか、とともに磁気ヘッドでの読取り不良が発生するおそれもある。したがって、ヘッドユニットのカード摺動溝がカード通路から位置ずれしないように取り付けるために、組付け作業が煩雑になるばかりではなく細心の注意を払って組付けなければらず時間を要するという問題があった。
【０００４】
本発明は上記した従来の問題に鑑みなされたものであり、その目的とするところは、ヘッドユニットの取付けの作業性を向上させるとともに取付けに要する時間を短縮することにある。
【課題を解決するための手段】
【０００５】
この目的を達成するために、請求項１に係る発明は、磁気カードを摺動させるカード摺動溝が形成された筺体と、この筺体に取り付けられ前記カード摺動溝の一部を形成し、このカード摺動溝を摺動させる磁気カードの情報を処理する磁気ヘッドが設けられたヘッドユニットとを備えた磁気ヘッドユニットの取付構造において、前記筺体に、前記摺動溝を挟んで互いに対向し前記ヘッドユニットを挟持する少なくとも二対の回動規制用リブを一体に設けたものである。
【０００６】
請求項２に係る発明は、請求項１に係る発明において、前記筺体を前記カード摺動溝を挟んで２つに分割し、これら２つの分割された筺体間を連結し前記カード摺動溝の一部を形成する断面Ｕ字状の一対の連結部を前記カード摺動溝の両端部において前記筺体に一体形成し、これら連結部間に前記ヘッドユニットを設けたものである。
【発明の効果】
【０００７】
請求項１に係る発明によれば、筺体に取り付けられるヘッドユニットは、回動規制用リブによって回動が規制されるため取り付ける際の作業性が向上するとともに作業時間を短縮することができる。また、取り付けられたヘッドユニットのカード摺動溝が筺体のカード摺動溝に対して位置ずれすることなく取り付けられるため、カード摺動溝内のカードを円滑に摺動させることができるとともに磁気ヘッドによる情報処理不良を防止することができる。
【０００８】
請求項２に係る発明によれば、仮に製造誤差によりカード摺動溝の幅にばらつきがあったとしても、筺体に取り付けられたヘッドユニットによって連結部のカード摺動溝の幅が矯正されるため、カード摺動溝内のカードを円滑に摺動させることができる。
【発明を実施するための最良の形態】
【０００９】
以下、本発明の実施の形態を図に基づいて説明する。図１は本発明に係る磁気ヘッドユニットの取付構造を採用した磁気カードリーダの正面図、図２は同じくアッパーケースの裏面側を示す正面図、図３は同じくアッパーケースの裏面側から見た斜視図、図４は同じくアッパーケースの裏面側の要部を拡大して示す正面図、図５は同じく磁気ヘッドユニットを取り付けた状態のアッパーケースの裏面側の要部を拡大して示す正面図、図６は同じく磁気ヘッドユニットの斜視図、図７は図５におけるVII-VII 線断面図、図８は図４におけるVIII-VIII 線断面図、図９は図５におけるIX-IX 線断面図である。
【００１０】
図１に全体を符号１で示す磁気カードリーダは、共にプラスチックによって形成されたアッパーケース２とロアーケース（図示せず）とによって略密閉状態となる筺体が形成され、アッパーケース２には、磁気カード（以下、単にカードという）３をアッパーケース２内に挿入するために矢印Ａ−Ｂ方向に延在するスリット４および表示器５ならびに複数の操作ボタン６が設けられている。アッパーケース２の裏面側には、図２に示すように、ロアーケースを取り付けるための複数のダボ７と、後述するヘッドユニット２０を取り付けるための２本のダボ８とが一体に立設されている。
【００１１】
アッパーケース２はスリット４を挟んで、矢印Ｃ−Ｄ方向に本体側部材１０と先端側部材１１とに分割されており、これら両部材１０，１１の矢印Ａ−Ｂ方向の両端部において、これら両部材１０，１１を連結する２つの連結部１２，１３が両部材１０，１１に跨るように一体形成されている。これら連結部１２，１３は、図３および図８に示すように断面がＵ字状に形成され、スリット４を開口としたカード摺動溝１５ａ，１５ｂが設けられている。連結部１２のカード摺動溝１５ａの矢印Ｂ方向の端部には、カード３を挿入するためのカード挿入口１２ａが設けられ、連結部１３のカード摺動溝１５ｂの矢印Ａ方向の端部には、カード３を排出するためのカード排出口１３ａが設けられている。カード挿入口１２ａ側はカード３を挿入しやすくするために、カード排出口１３ａ側と比較して開口端縁が拡く形成されている。また、カード挿入口１２ａ側に設けられた連結部１２は、カード排出口１３ａ側に設けられた連結部１３よりも矢印Ａ−Ｂ方向の長さが長く形成されている。
【００１２】
図４に示すように、アッパーケース２の底部のダボ８，８の矢印Ａ−Ｂ方向および矢印Ｃ−Ｄ方向の外側であって、スリット４を挟んで互いに対向する部位には、後述するヘッドユニット２０の回動を規制する二対の回転規制用リブ１６が一体に立設されている。また、アッパーケース２の底部のダボ８，８の矢印Ａ−Ｂ方向の外側の部位には、矢印Ａ−Ｂ方向において互いに対向するヘッドユニット２０の矢印Ａ−Ｂ方向の移動を規制する二対の移動規制用リブ１７が一体に立設されている。
【００１３】
図６において、２０はヘッドユニットであって、ブラケット２１とこれに取り付けられた磁気ヘッド２５とからなる。ブラケット２１は、挿通孔２２ａが設けられた底板２２と、これに互いに対向するように立設された一対の摺動壁２３，２３と、これら摺動壁２３，２３の両端部が互いに対向するように形成された側部２４とによって構成されている。一対の摺動壁２３，２３間には、カード摺動溝１５ｃが形成され、一方の摺動壁２３に取り付けられた磁気ヘッド２５のヘッド読取り面は、この摺動壁２３に設けられた窓からカード摺動溝１５ｃ内に臨んでいる。
【００１４】
ブラケット２１の幅方向の寸法、すなわち互いに並設された両側部２４，２４の端面２４ａ，２４ａ間の間隔Ｗ１は、互いに対向する一対の回動規制用リブ１６，１６間の間隔Ｗ２よりもやや大きく形成されている。また、ブラケット２１の長手方向の寸法、すなわち互いに対向する両側部２４，２４の側面２４ｂ，２４ｂ間の間隔Ｌ１は、互いに対向する一対の移動規制用リブ１７，１７間の間隔Ｌ２と同じ長さに形成されている。
【００１５】
このような構成において、図６に示すヘッドユニット２０を天地方向を逆にした状態で、図４に示すアッパーケース２の互いに対向する回動規制用リブ１６，１６間に、ヘッドユニット２０の両側部２４，２４の端面２４ａ，２４ａを嵌合させる。このとき、ブラケット２１の両側部２４，２４の端面２４ａ，２４ａ間の間隔Ｗ１が、回動規制用リブ１６，１６間の間隔Ｗ２よりもわずかに大きく形成されているため、連結部１２，１３が弾性変形してアッパーケース２のスリット４がわずかに押し拡げられ、スリット４は図７に示すようにヘッドユニット２０のカード摺動溝１５ｃの開口幅Ｗ３と一致する。
【００１６】
したがって、アッパーケース２を成形加工した際にスリット４の幅にばらつきが発生したとしても、ヘッドユニット２０をアッパーケース２に取り付けることにより、スリット４をヘッドユニット２０のカード摺動溝１５ｃの開口幅Ｗ３と一致するように矯正することができる。このため、連結部１２，１３のカード摺動溝１５ａ，１５ｂと、ヘッドユニット２０のカード摺動溝１５ｃとの間に段差を生じることがなく連通する。
【００１７】
また、回動規制用リブ１６，１６間に両側部２４，２４の端面２４ａ，２４ａを嵌合させたヘッドユニット２０は、これら二対の回動規制用リブ１６，１６によって挟持されることにより回動が規制される。したがって、ブラケット２１の挿通孔２２ａに挿通させたねじ２６をアッパーケース２のダボ８に螺合させて、ヘッドユニット２０をアッパーケース２に取り付ける際に、ヘッドユニット２０とアッパーケース２との間で位置ずれを起こすようなことがない。このため、ヘッドユニット２０のカード摺動溝１５ｃの開口とアッパーケース２のスリット４とが一致した状態のままで取り付けられるから、カード摺動溝１５ａ，１５ｂ，１５ｃ内のカード３を円滑に摺動させることができるとともに、磁気ヘッド２５による情報処理不良を防止することができる。また、アッパーケース２に取り付けられるヘッドユニット２０は、回動規制用リブ１６によって回動が規制されるため、取り付ける際の作業性が向上するとともに取付時間を短縮することができる。
【００１８】
このヘッドユニット２０の取付けの際には、ブラケット２１の両側部２４，２４の側面２４ｂ，２４ｂが互いに対向する移動規制用リブ１７，１７に係合し、ヘッドユニット２０がこれら移動規制用リブ１７，１７によって挟持され矢印Ａ−Ｂ方向への移動が規制されている。このため、より確実にヘッドユニット２０のカード摺動溝１５ｃの開口とアッパーケース２のスリット４とが一致した状態のままで取り付けられるとともに、取り付ける際の作業性が向上し作業時間を短縮することができる。
【００１９】
このように取り付けられたヘッドユニット２０は連結部１２，１３間に位置付けられ、図１に示すように、カード挿入口１２ａから連結部１２のカード摺動溝１５ａに挿入したカード３を矢印Ａ方向に移動させ、カード摺動溝１５ａ内からヘッドユニット２０のカード摺動溝１５ｃ内を摺動させ、このカード摺動溝１５ｃ内を摺動させる際に、磁気ヘッド２５によってカード３の情報が読み取られる。さらに、カード３を矢印Ａ方向に移動させ、連結部１３のカード摺動溝１５ｂ内を摺動させることにより、カード排出口１３ａからカード３が排出される。
【００２０】
このとき、カード挿入口１２ａがカード３を挿入しやすいようにカード排出口１３ａ側と比較して開口端縁が拡く形成されているため、カード挿入口１２ａから挿入された直後のカード３はカード３の厚み方向に傾きやすい。しかしながら、カード挿入口１２ａ側に設けた連結部１２の矢印Ａ−Ｂ方向の長さを、カード排出口１３ａ側に設けた連結部１３よりも長く形成したことにより、この連結部１２のカード摺動溝１５ａ内を摺動している間にカード３の厚み方向への傾きは矯正されるから、ヘッドユニット２０の磁気ヘッド２５による読取り不良を防止することができる。
【図面の簡単な説明】
【００２１】
【図１】本発明に係る磁気ヘッドユニットの取付構造を採用した磁気カードリーダの正面図である。
【図２】本発明に係る磁気ヘッドユニットの取付構造を採用した磁気カードリーダのアッパーケースの裏面側を示す正面図である。
【図３】本発明に係る磁気ヘッドユニットの取付構造を採用した磁気カードリーダのアッパーケースの裏面側から見た斜視図である。
【図４】本発明に係る磁気ヘッドユニットの取付構造を採用した磁気カードリーダのアッパーケースの裏面側の要部を拡大して示す正面図である。
【図５】本発明に係る磁気ヘッドユニットの取付構造を採用した磁気カードリーダの磁気ヘッドユニットを取り付けた状態のアッパーケースの裏面側の要部を拡大して示す正面図である。
【図６】本発明に係る磁気ヘッドユニットの取付構造を採用した磁気カードリーダの磁気ヘッドユニットの斜視図である。
【図７】図５におけるVII-VII 線断面図である。
【図８】図４におけるVIII-VIII 線断面図である。
【図９】図５におけるIX-IX 線断面図である。
【符号の説明】
【００２２】
１…磁気カードリーダ、２…アッパーケース、３…磁気カード、４…スリット、８…ダボ、１０…本体側部材、１１…先端側部材、１２，１３…連結部、１２ａ…カード挿入口、１３ａ…カード排出口、１５ａ，１５ｂ，１５ｃ…カード摺動溝、１６…回動規制用リブ、１７…移動規制用リブ、２０…ヘッドユニット、２１…ブラケット、２４…側部、２５…磁気ヘッド。
【図１】
2006139457.tif 000003
【図２】
2006139457.tif 000004
【図３】
2006139457.tif 000005
【図４】
2006139457.tif 000006
【図５】
2006139457.tif 000007
【図６】
2006139457.tif 000008
【図７】
2006139457.tif 000009
【図８】
2006139457.tif 000010
【図９】
2006139457.tif 000011